(57)【特許請求の範囲】
【請求項１】
プリピットが予め形成されている第１エリアと、前記プリピットが予め形成されておらず、且つエンボスピットが予め形成されている第２エリアとを備え、（ｉ）前記プリピットを読み取ることで得られる第１参照信号に基づいて生成されるクロック周波数である基準クロックの位相及び周波数の夫々と、（ｉｉ）前記エンボスピットを読み取ることで得られる第２参照信号に基づいて生成されるクロック周波数である再生クロックの位相及び周波数の夫々との差が、所定値以下である情報記録媒体に記録情報を記録する情報制御装置であって、
前記プリピットより前記第１参照信号を生成する第１生成手段と、
前記エンボスピットより前記第２参照信号を生成する第２生成手段と、
前記第１参照信号及び前記第２参照信号のいずれか一方に基づいて、前記記録情報を記録する際に用いられるクロック周波数である記録クロックとして前記基準クロック及び前記再生クロックのいずれか一方を生成する第３生成手段と、
前記記録情報が記録される位置が、前記第１エリアの一部であるか、前記第１エリアのうち前記第１エリアの一部よりも外周側の部分である前記第１エリアの他の部分であるかに応じて、前記第３生成手段が参照すべき前記第１参照信号及び前記第２参照信号のいずれか一方を選択する選択手段と、
前記記録クロックを参照しながら前記記録情報を前記第１エリアに記録する記録手段と
を備え、
前記記録手段が前記第１エリアの一部に前記記録情報を記録する際、前記選択手段は前記第２参照信号を選択し、前記第３生成手段は前記選択された第２参照信号に基づいて前記再生クロックを前記記録クロックとして生成し、
前記記録手段が前記第１エリアの他の部分に前記記録情報を記録する際、前記選択手段は前記第１参照信号を選択し、前記第３生成手段は前記選択された第１参照信号に基づいて前記基準クロックを前記記録クロックとして生成する
ことを特徴とする情報記録装置。
【請求項２】
前記選択手段は、前記記録手段が前記第１エリアに前記記録情報を記録開始する前に、前記第２参照信号を選択し、前記第３生成手段は、前記第１エリアに前記記録情報を記録開始した直後には、前記選択された第２参照信号に基づいて、前記再生クロックを前記記録クロックとして生成することを特徴とする請求項１に記載の情報記録装置。
【請求項３】
前記選択手段は、前記第１エリアの一部としての、前記第１エリアと前記第２エリアとの境界付近における少なくとも一部の前記第１エリアに前記記録情報を記録する場合には前記第２参照信号を選択し、前記第１エリアの他の部分としての、前記第１エリアのうち前記少なくとも一部の第１エリアを除く他の一部に前記記録情報を記録する場合には前記第１参照信号を選択することを特徴とする請求項１に記載の情報記録装置。
【請求項４】
前記選択手段は、前記記録情報が記録される位置が前記少なくとも一部の第１エリアである場合に、所定サイズの前記記録情報が前記少なくとも一部の第１エリアに記録された後に前記第１参照信号を選択することを特徴とする請求項３に記載の情報記録装置。
【請求項５】
前記記録情報が前記少なくとも一部の第１エリアに記録されている期間において、
前記第３生成手段は、前記記録クロックを分周した信号をフィードバックしながら前記記録クロックを生成し、
前記記録手段は、前記フィードバックしながら生成される前記記録クロックを参照しながら前記記録情報を記録することを特徴とする請求項３に記載の情報記録装置。
【請求項６】
前記第１参照信号に基づいて生成される前記基準クロックのパルス幅及び生成タイミングと、前記第２参照信号に基づいて生成される前記再生クロックのパルス幅及び生成タイミングとが略同一であることを特徴とする請求項１に記載の情報記録装置。
【請求項７】
プリピットが予め形成されている第１エリアと、前記プリピットが予め形成されておらず、且つエンボスピットが予め記録されている第２エリアとを備え、(i)前記プリピットを読み取ることで得られる第１参照信号に基づいて生成されるクロック周波数である基準クロックの位相及び周波数の夫々と、(ii)前記エンボスピットを読み取ることで得られる第２参照信号に基づいて生成されるクロック周波数である再生クロックの位相及び周波数の夫々との差が、所定値以下である情報記録媒体に記録情報を記録する情報記録方法であって、
前記プリピットより前記第１参照信号を生成する第１生成工程と、
前記エンボスピットより前記第２参照信号を生成する第２生成工程と、
前記第１参照信号及び前記第２参照信号のいずれか一方に基づいて、前記記録情報を記録する際に用いられるクロック周波数である記録クロックとして前記基準クロック及び前記再生クロックのいずれか一方を生成する第３生成工程と、
前記記録情報が記録される位置が、前記第１エリアの一部であるか、前記第１エリアのうち前記第１エリアの一部よりも外周側の部分である前記第１エリアの他の部分であるかに応じて、前記第３生成工程において参照される前記第１参照信号及び前記第２参照信号のいずれか一方を選択する選択工程と、
前記記録クロックを参照しながら前記記録情報を記録する記録工程と
を備え、
前記記録工程において前記第１エリアの一部に前記記録情報が記録される際、前記選択工程において前記第２参照信号が選択され、前記第３生成工程において前記選択された第２参照信号に基づいて前記再生クロックが前記記録クロックとして生成され、
前記記録工程において前記第１エリアの他の部分に前記記録情報が記録される際、前記選択工程において前記第１参照信号が選択され、前記第３生成工程において前記選択された第１参照信号に基づいて前記基準クロックが前記記録クロックとして生成される
ことを特徴とする情報記録方法。
【請求項８】
請求項１に記載の情報記録装置に備えられたコンピュータを制御する記録制御用のコンピュータプログラムであって、該コンピュータを、前記第１生成手段、前記第２生成手段、前記第３生成手段、前記選択手段及び前記記録手段のうち少なくとも一部として機能させることを特徴とするコンピュータプログラム。
【発明の詳細な説明】
【技術分野】
【０００１】
本発明は、例えばＤＶＤ等の情報記録媒体、例えばＤＶＤレコーダ等の情報記録装置及び方法、このようなＤＶＤ等の情報記録媒体を製造する製造装置及び方法、コンピュータをこのような情報記録装置として機能させるコンピュータプログラムの技術分野に関する。
【背景技術】
【０００２】
例えばＣＤ−Ｒ、ＤＶＤ−Ｒ等の記録可能型の光ディスクと同様の記録可能な記録領域と、例えばＣＤ−ＲＯＭ、ＤＶＤ−ＲＯＭ等の再生専用型の光ディスクと同様の再生専用の記録領域とを、一枚の光ディスクの外周寄り領域及び内周寄り領域に分けて併せ持つ、ハイブリッド型光ディスクが現在提案されており、その開発が進められている。【０００３】
このハイブリッド型光ディスクは、具体的には、コンテンツの著作権保護を目的とするＣＰＲＭ（Content Protection for Recordable Media）対応の光ディスクとして実用化されている。このＣＰＲＭ対応の光ディスクにおいては、コンテンツデータを暗号化するための暗号化キーをエンボスピットとして再生専用の記録領域に予め記録しておき、該暗号化キーを用いてコンテンツデータを記録可能な記録領域に記録する構成となっている。このようなＣＰＲＭ対応の光ディスクに対して、ＤＶＤ−ＲＯＭ等の再生専用の情報記録媒体から不正にコンテンツデータを複製しようとしても、再生専用の記録領域に暗号化キーを記録することができず、また記録したとしても予め記録されているエンボスピットと新たに記録される記録マークとが干渉して、暗号化キーを適切に読み取ることができなくなる。従って、結果としてコンテンツデータの不正な複製を許さず、コンテンツデータの著作権を好適に保護することができる。【０００４】
【特許文献１】特開２００３−２４９０２２号公報
【特許文献２】特開２００２−１４０８２２号公報
【特許文献３】特開２００１−２６６３６２号公報
【特許文献４】特開２０００−３３１４１２号公報
【特許文献５】特開２００１−２２９５４７号公報
【特許文献６】特開２００１−３０７３２９号公報
【特許文献７】特開２００２−２０３３４１号公報
【特許文献８】特開２００２−２５１２０号公報
【特許文献９】特開２００２−４２３４７号公報
【特許文献１０】特開２００２−９２８９１号公報
【発明の開示】
【発明が解決しようとする課題】
【０００５】
ここで、このようなハイブリッド型光ディスクにおいては、記録可能な記録領域と再生専用の記録領域との境界付近からデータを記録し始める場合には、再生専用の記録領域において記録クロックを取得する必要がある。しかしながら、再生専用の記録領域に形成されるエンボスピットと、記録クロックを生成するために形成されるランドプリピットとは、物理的形状によって形成されるピットである。このため、同一の記録位置に共存させると、相互に干渉し合い好適にデータ（具体的には、ランドプリピットより記録クロック）を読み取ることができないという問題点を有している。このため、上述の如き著作権保護に用いられるハイブリッド型光ディスクでは、その境界付近において、読取不可能な（いわば単なる物理的形状を有しているに過ぎない）エンボスピットがランドプリピットと共に形成されている。これにより、コンテンツの著作権を好適に保護しつつもランドプリピットより記録クロックを生成する際のエンボスピットの影響を排除することができ、上述の問題を解消することができる。【０００６】
しかしながら、読取不可能なエンボスピットを設けることで記録クロックを生成することは可能となるが、例えばＣＤプレーヤやＤＶＤプレーヤ等の再生専用装置は、この読取不可能なエンボスピットで再生エラーを生じ、その結果再生動作の暴走につながりかねないという新たな問題点を有する。再生専用装置に対応させるべく、ランドプリピットを除却して読取り可能なエンボスピットにすると、今度は記録クロックを生成することができず、適切な記録動作を行うことができないという問題点を有する。【０００７】
本発明は、例えば上述した従来の問題点に鑑みなされたものであり、例えばハイブリッド型の情報記録媒体に対して好適にデータの記録や再生等を行うことが可能な情報記録媒体、情報記録装置及び方法、並びにコンピュータをこのような情報記録装置として機能させるコンピュータプログラムを提供することを課題とする。
【課題を解決するための手段】
【０００８】
（情報記録媒体）
本発明の第１情報記録媒体は上記課題を解決するために、記録情報を記録する際の基準となる基準クロックを生成するために読み取られるプリピットが予め形成されている第１エリアと、前記プリピットが予め形成されておらず、且つ前記記録情報の一部としてのエンボスピットが予め形成されている第２エリアとを備え、(i)前記プリピットを読み取ることで得られる第１参照信号に基づいて生成される前記基準クロックの位相及び周波数の夫々と、(ii)前記エンボスピットを読み取ることで得られる第２参照信号に基づいて生成される再生クロックの位相及び周波数の夫々との差が、所定値以下である。【０００９】
本発明の第１情報記録媒体によれば、第１エリアにはプリピットが形成されており、このプリピットを読み取ることで得られる第１参照信号に基づいて、記録情報を記録する際の基準となる（即ち、記録クロックを生成するための）基準クロックを生成或いは取得することができる。そして、第１エリアには、例えば映像情報や音声情報や或いはその他の各種情報を含む記録情報を記録することができる。即ち、第１エリアは記録可能な記録領域に相当している。他方、第２エリアには所定の記録情報（例えば、第１エリアに記録される記録情報の一例たるコンテンツの暗号化に用いられる暗号キー等）を示すエンボスピットが形成されている。そして、このエンボスピットを読み取ることで得られる第２参照信号に基づいて、記録情報を再生する際の再生クロックを生成或いは取得することができる。そして、第２エリアにはエンボスピットが予め形成されているため、記録情報を記録することはできない。即ち、第２エリアは再生専用の記録領域に相当している。【００１０】
本発明では特に、エンボスピットを読み取ることで得られる第２参照信号に基づいて生成される再生クロックの位相と、プリピットを読み取ることで得られる第１参照信号に基づいて生成される基準クロックの位相との差が、第１の所定値以下である。加えて、エンボスピットを読み取ることで得られる第２参照信号に基づいて生成される再生クロックの周波数と、プリピットを読み取ることで得られる第１参照信号に基づいて生成される基準クロックの周波数との差が、第２の所定値以下である。好ましくは、基準クロックと再生クロックとを交互に切り替えて、記録情報を記録する際に後述の情報記録装置により実際に用いられる記録クロックとして用いても、記録動作において特段の問題が生じない程度にしか、夫々の位相の差と夫々の周波数の差とが存在しないことが好ましい。具体的には、第１参照信号及び第２参照信号のいずれを、基準クロック及び再生クロックの夫々（即ち、記録クロック）を生成するためのＰＬＬ（Phased Lock Loop）回路に入力したとしても、ＰＬＬのロックが外れず、結果として記録クロックを好適に生成することができる。【００１１】
従って、当該情報記録媒体に記録情報を記録する際には、基準クロックを記録クロックとして用いても、再生クロックを記録クロックとして用いても、記録動作において特段の問題が生ずることはない。言い換えれば、基準クロックも再生クロックも、後述の情報記録装置にとっては同一の又は略同一の記録クロックとして認識される。【００１２】
具体的には、例えば第１エリアのうち該第１エリアと第２エリアとの境界付近から記録情報の記録を開始する場合には、第２エリアのエンボスピットを読み取ることで得られる第２参照信号に基づいて生成される再生クロックを記録クロックとして用いて、記録情報の記録を開始することができる。その後、第１エリアへの記録情報の記録が実際に行われれば、第１エリアのプリピットを読み取ることで得られる第１参照信号に基づいて生成される基準クロックを記録クロックとして用いて、記録情報の記録を開始できる。このため、ハイブリッド型光ディスク等の情報記録媒体であっても、記録可能な記録領域（即ち、第１エリア）に好適に記録情報を記録することができる。加えて、背景技術の如く読取不可能なエンボスピットを形成しない（即ち、少なくとも再生クロックを読取可能なエンボスピットを形成する）ため、既存の情報再生装置であっても、第２エリアを適切に読み取ることができ、再生動作の暴走等の不都合を好適に防止することができる。【００１３】
そして、再生クロックの位相及び周波数の夫々と基準クロックの位相及び周波数の夫々との差が所定値以下（或いは、夫々略同一）であるため、記録動作の最中に、記録クロックとして用いるクロックを、再生クロックから基準クロックへ又はその逆へ切り替えたとしても、特段の問題は生じない。即ち、後述の情報記録装置をして、再生クロックから基準クロックへ又はその逆へ切替えたとしても、同一の記録クロックとして認識させることができる。言い換えれば、記録クロックを生成する際に基準とする参照信号を、第１参照信号から第２参照信号へ又はその逆へ切り替えたとしても、好適に記録クロックを生成することができる。このため、第１エリアにおいてより好適に記録情報の記録を行うことが可能となるともに、第１エリアに記録された記録情報や第２エリアに予め記録されているエンボスピットの再生をも好適に行うことができる。【００１４】
以上の結果、本発明の情報記録媒体によれば、例えばハイブリッド型光ディスク等であっても、好適に記録情報の記録を行うことができるともに、記録された記録情報の再生をも好適に行うことができる。【００１５】
尚、エンボスピット及びプリピットには夫々、アドレス情報や記録動作の際の同期をとるための同期パターン等が更に含まれるように形成されていることが好ましい。【００１６】
また、前記再生クロックの位相と前記基準クロックの位相とが略同一であるように構成してもよいし、或いは、前記再生クロックの周波数と前記基準クロックの周波数とが略同一であるように構成してもよい。【００１７】
本発明の第１情報記録媒体の他の態様は、前記基準クロックの位相及び周波数の夫々との差が前記所定値以下となる位相及び周波数を有するカッティングクロックに基づくカッティング装置の動作により前記エンボスピットが形成される。【００１８】
この態様によれば、カッティング装置の動作を適宜調整する（具体的には、後述のカッティングクロック等を適宜調整する）ことで、比較的容易に、位相及び周波数の差を所定値以下とすることができる。【００１９】
本発明の第１情報記録媒体の他の態様は、所定の位相及び周波数を有するカッティングクロックに基づくカッティング装置の動作により、前記プリピット及び前記エンボスピットの夫々が形成される。【００２０】
この態様によれば、同一のカッティングクロックを用いてエンボスピット及びプリピットの夫々がカッティング装置により形成されるため、比較的容易に、位相及び周波数の差を所定値以下とすることができる。【００２１】
本発明の第１情報記録媒体の他の態様は、前記第１エリアと第２エリアとは相隣接している。【００２２】
この態様によれば、第２エリアにおいて得られる再生クロックを記録クロックとして用いて、該第２エリアに連続して設けられる第１エリアに好適に記録情報を記録することができる。【００２３】
本発明の第１情報記録媒体の他の態様は、前記基準クロック及び前記再生クロックの少なくとも一方を生成するＰＬＬ回路において、該ＰＬＬ回路への入力が前記第１参照信号から前記第２参照信号へ又は前記第２参照信号から前記第１参照信号へ切り替えられた場合に、ＰＬＬのロックが外れないように前記エンボスピットが形成される。【００２４】
この態様によれば、ＰＬＬ回路への入力が切り替えられてもＰＬＬのロックが外れないため、特段の問題は生じない。即ち、後述の情報記録装置をして、再生クロックから基準クロックへ又はその逆へ切替えたとしても、同一の記録クロックとして認識させることができる。【００２５】
本発明の第２情報記録媒体は上記課題を解決するために、記録情報を記録する際の基準となる基準クロックを生成するために読み取られるクロック情報（例えば、上述のプリピット等）が予め記録されている第１エリアと、前記クロック情報が予め記録されておらず、且つ再生専用の前記記録情報（例えば、上述のエンボスピット等）が予め記録されている第２エリアとを備え、(i)前記クロック情報を読み取ることで得られる第１参照信号に基づいて生成される前記基準クロックの位相及び周波数と、(ii)前記第２エリアに記録されている前記記録情報を読み取ることで得られる第２参照信号に基づいて生成される再生クロックの位相及び周波数との夫々の差が、所定値以下である。【００２６】
本発明の第２情報記録媒体の他の態様は、上述した第１情報記録媒体が有する各種利益と同様の利益を享受することが可能となる。【００２７】
尚、上述した本発明の第１情報記録媒体における各種態様に対応して、本発明の第２情報記録媒体も各種態様を採ることが可能である。【００２８】
（情報記録装置）
本発明の情報記録装置は上記課題を解決するために、プリピットが予め形成されている第１エリアと、前記プリピットが予め形成されておらず、且つエンボスピットが予め形成されている第２エリアとを備え、（ｉ）前記プリピットを読み取ることで得られる第１参照信号に基づいて生成されるクロック周波数である基準クロックの位相及び周波数の夫々と、（ｉｉ）前記エンボスピットを読み取ることで得られる第２参照信号に基づいて生成されるクロック周波数である再生クロックの位相及び周波数の夫々との差が、所定値以下である情報記録媒体に記録情報を記録する情報制御装置であって、前記プリピットより前記第１参照信号を生成する第１生成手段と、前記エンボスピットより前記第２参照信号を生成する第２生成手段と、前記第１参照信号及び前記第２参照信号のいずれか一方に基づいて、前記記録情報を記録する際に用いられるクロック周波数である記録クロックとして前記基準クロック及び前記再生クロックのいずれか一方を生成する第３生成手段と、前記記録情報が記録される位置が、前記第１エリアの一部であるか、前記第１エリアのうち前記第１エリアの一部よりも外周側の部分である前記第１エリアの他の部分であるかに応じて、前記第３生成手段が参照すべき前記第１参照信号及び前記第２参照信号のいずれか一方を選択する選択手段と、前記記録クロックを参照しながら前記記録情報を前記第１エリアに記録する記録手段とを備え、前記記録手段が前記第１エリアの一部に前記記録情報を記録する際、前記選択手段は前記第２参照信号を選択し、前記第３生成手段は前記選択された第２参照信号に基づいて前記再生クロックを前記記録クロックとして生成し、前記記録手段が前記第１エリアの他の部分に前記記録情報を記録する際、前記選択手段は前記第１参照信号を選択し、前記第３生成手段は前記選択された第１参照信号に基づいて前記基準クロックを前記記録クロックとして生成する。
【００２９】
本発明の情報記録装置によれば、選択手段の動作により選択される第１参照信号及び第２参照信号のいずれか一方に基づいて、第３生成手段の動作により基準クロック又は再生クロックが記録クロックとして生成される。そして、記録手段は、該生成される記録クロックを参照しながら、記録情報の記録を行う。【００３０】
従って、上述した本発明の第１又は第２情報記録媒体に対して、好適に記録情報を記録することができると共に、本発明の第１又は第２情報記録媒体が有する各種利益と同様の利益を享受することが可能となる。【００３１】
尚、上述した本発明の第１又は第２情報記録媒体における各種態様に対応して、本発明の情報記録装置も各種態様を採ることが可能である。【００３４】
本発明の情報記録装置の一の態様は、前記選択手段は、前記記録手段が前記第１エリアに前記記録情報を記録開始する前に、前記第２参照信号を選択し、前記第３生成手段は、前記第１エリアに前記記録情報を記録開始した直後には、前記選択された第２参照信号に基づいて、前記再生クロックを前記記録クロックとして生成する。
【００３５】
この態様によれば、第１エリアに記録情報を開始してから所定期間が経過すれば（即ち、例えば後述の如く少なくとも一部の第１エリアにおいて所定サイズの記録情報を記録した後には）、当該第１エリアから十分な或いは好適な基準クロックを生成できる。従って、第１エリアに記録情報を開始してから所定期間経過後は、第１エリアから取得可能な第１参照信号に基づいて生成される基準クロックを記録クロックとして用いることで、第１エリアに記録情報を好適に記録することができる。【００３６】
本発明の情報記録装置の他の態様は、前記選択手段は、前記第１エリアの一部としての、前記第１エリアと前記第２エリアとの境界付近における少なくとも一部の前記第１エリアに前記記録情報を記録する場合には前記第２参照信号を選択し、前記第１エリアの他の部分としての、前記第１エリアのうち前記少なくとも一部の第１エリアを除く他の一部に前記記録情報を記録する場合には前記第１参照信号を選択する。
【００３７】
この態様によれば、第１エリアから取得可能な第１参照信号に基づいて生成される基準クロックを記録クロックとして用いて、第１エリアに記録情報を好適に記録することができる。他方、境界付近に位置する少なくとも一部の第１エリアにおいては、情報記録装置の構成や仕様或いは情報記録媒体の仕様や記録条件等によっては、当該第１エリアから十分な或いは好適な基準クロックを生成できないおそれがある。この場合であっても、第２エリアから取得可能な第２参照信号に基づいて生成される再生クロックを記録クロックとして用いることで、該少なくとも一部の第１エリアにおいても記録情報を好適に記録することが可能となる。【００３８】
この態様では、前記記録情報が記録される位置が前記少なくとも一部の第１エリアである場合に、前記選択手段は、所定サイズの前記記録情報が前記少なくとも一部の第１エリアに記録された後に前記第１参照信号を選択するように構成してもよい。【００３９】
このように構成すれば、所定サイズの記録情報を第１エリアに記録すれば、当該第１エリアから十分な或いは好適な基準クロックを生成できる。従って、所定サイズの記録情報を第１エリアに記録した後は、第１エリアから取得可能な第１参照信号に基づいて生成される基準クロックを記録クロックとして用いることで、第１エリアに記録情報を好適に記録することができる。【００４０】
この態様では、前記記録情報が前記少なくとも一部の第１エリアに記録されている期間において、前記第３生成手段は、前記記録クロックを分周した信号をフィードバックしながら前記記録クロックを生成し、前記記録手段は、前記フィードバックしながら生成される前記記録クロックを参照しながら前記記録情報を記録するように構成してもよい。【００４１】
このように構成すれば、再生クロックを記録クロックとして参照しながら第１エリアに記録情報を記録している場合であっても、仮に記録中に再生クロックが取得され続けていなくとも、好適な記録クロックを生成することができる。即ち、第１エリアにおいて基準クロックを取得していなくとも或いは第２エリアにおいて再生クロックを取得していなくとも、好適な記録クロックを参照しながら記録情報を記録することが可能となる。【００４２】
本発明の情報記録装置の他の態様は、前記第１参照信号に基づいて生成される前記基準クロックのパルス幅及び生成タイミングと、前記第２参照信号に基づいて生成される前記再生クロックのパルス幅及び生成タイミングとが略同一である。【００４３】
この態様によれば、異なる手法で夫々生成する基準クロック及び再生クロックの双方を、記録クロックとして同一の情報記録装置において好適に用いることが可能となる。【００４４】
（情報記録方法）
本発明の情報記録方法は上記課題を解決するために、プリピットが予め形成されている第１エリアと、前記プリピットが予め形成されておらず、且つエンボスピットが予め記録されている第２エリアとを備え、(i)前記プリピットを読み取ることで得られる第１参照信号に基づいて生成されるクロック周波数である基準クロックの位相及び周波数の夫々と、(ii)前記エンボスピットを読み取ることで得られる第２参照信号に基づいて生成されるクロック周波数である再生クロックの位相及び周波数の夫々との差が、所定値以下である情報記録媒体に記録情報を記録する情報記録方法であって、前記プリピットより前記第１参照信号を生成する第１生成工程と、前記エンボスピットより前記第２参照信号を生成する第２生成工程と、前記第１参照信号及び前記第２参照信号のいずれか一方に基づいて、前記記録情報を記録する際に用いられるクロック周波数である記録クロックとして前記基準クロック及び前記再生クロックのいずれか一方を生成する第３生成工程と、前記記録情報が記録される位置が、前記第１エリアの一部であるか、前記第１エリアのうち前記第１エリアの一部よりも外周側の部分である前記第１エリアの他の部分であるかに応じて、前記第３生成工程において参照される前記第１参照信号及び前記第２参照信号のいずれか一方を選択する選択工程と、前記記録クロックを参照しながら前記記録情報を記録する記録工程とを備え、前記記録工程において前記第１エリアの一部に前記記録情報が記録される際、前記選択工程において前記第２参照信号が選択され、前記第３生成工程において前記選択された第２参照信号に基づいて前記再生クロックが前記記録クロックとして生成され、前記記録工程において前記第１エリアの他の部分に前記記録情報が記録される際、前記選択工程において前記第１参照信号が選択され、前記第３生成工程において前記選択された第１参照信号に基づいて前記基準クロックが前記記録クロックとして生成される。
【００４５】
本発明の情報記録方法によれば、上述した本発明の情報記録装置と同様の各種利益を享受することができる。【００４６】
尚、上述した本発明の情報記録装置における各種態様に対応して、本発明の情報記録方法も各種態様を採ることが可能である。【００５３】
（コンピュータプログラム）
本発明に係るコンピュータプログラムは上記課題を解決するために、コンピュータを上述した情報記録装置（但し、その各種形態も含む）の少なくとも一部として機能させる。具体的には、コンピュータを上述の第１生成手段、第２生成手段、第３生成手段、選択手段及び記録手段の少なくとも一部として機能させる。【００５４】
本発明に係るコンピュータプログラムによれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報記録装置を比較的簡単に実現できる。【００５５】
尚、上述した本発明の情報記録装置における各種態様に対応して、本発明のコンピュータプログラムも各種態様を採ることが可能である。【００５６】
コンピュータ読取可能な媒体内のコンピュータプログラム製品は上記課題を解決するために、上述した本発明の情報記録装置（但し、その各種形態も含む）に備えられたコンピュータにより実行可能なプログラム命令を明白に具現化し、該コンピュータを、上述の第１生成手段、第２生成手段、第３生成手段、選択手段及び記録手段の少なくとも一部として機能させる。【００５７】
本発明のコンピュータプログラム製品によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の情報記録装置を比較的容易に実施可能となる。更に具体的には、当該コンピュータプログラム製品は、上述した本発明の情報記録装置として機能させるコンピュータ読取可能なコード（或いはコンピュータ読取可能な命令）から構成されてよい。【００５８】
本発明のこのような作用及び他の利得は次に説明する実施例から更に明らかにされる。【００５９】
以上説明したように、本発明の第１又は第２情報記録媒体によれば、第１エリア及び第２エリアを備えており、再生クロックの位相及び周波数の夫々と基準クロックの位相及び周波数の夫々との差が所定値以下である。従って、例えばハイブリッド型光ディスク等であっても、好適に記録情報の記録を行うことができるともに、記録された記録情報の再生をも好適に行うことができる。【００６０】
また、本発明の情報記録装置又は方法によれば、第１生成手段、第２生成手段、第３生成工程、選択手段及び記録手段、又は第１生成工程、第２生成工程、第３生成工程、選択工程及び記録工程を備える。従って、本発明に係る情報記録媒体に対して、好適に記録情報の記録を行うことができる。
【図面の簡単な説明】
【００６１】
【図１】上側に複数のエリアを有する本発明の情報記録媒体に係る実施例である光ディスクの構造を概略平面図で示すと共に、下側にその径方向におけるエリア構造を概念図で対応付けて示すものである。
【図２】本実施例に係る光ディスクの記録面における部分拡大斜視図である。
【図３】本実施例に係る光ディスクのリードインエリア及びユーザデータエリアの境界付近のデータ構造を概念的に示す説明図である。
【図４】本実施例に係る光ディスクに形成されているエンボスエリア及びグルーブエリアの夫々において取得されるクロック信号を示す説明図である。
【図５】本実施例に係る光ディスクを製造するカッティング装置を概念的に示す説明図である。
【図６】本発明の情報記録装置に係る第１実施例にとしての情報記録再生装置及びホストコンピュータのブロック図である。
【図７】第１実施例に係る情報記録再生装置が備える記録クロック生成器の基本構成を概念的に示すブロック図である。
【図８】第１実施例に係る情報記録再生装置の記録動作全体の流れを概念的に示すフローチャートである。
【図９】第１実施例に係る情報記録再生装置の記録動作中における記録クロックの生成に関連する各種信号の変化の態様を概念的に示すタイミングチャートである。
【図１０】第１実施例に係る情報記録再生装置の記録動作中において、ランドプリピットがＥｖｅｎポジションに形成されている場合の、記録クロックの生成に関連する各種信号の変化の態様を概念的に示すタイミングチャートである。
【図１１】第１実施例に係る情報記録再生装置の記録動作中において、ランドプリピットがＯｄｄポジションに形成されている場合の、記録クロックの生成に関連する各種信号の変化の態様を概念的に示すタイミングチャートである。
【図１２】第２実施例に係る情報記録再生装置が備える記録クロック生成器の基本構成を概念的に示すブロック図である。
【図１３】第２実施例に係る情報記録再生装置の記録動作全体の流れを概念的に示すフローチャートである。
【図１４】第２実施例に係る情報記録再生装置の記録動作中における記録クロックの生成に関連する各種信号の変化の態様を概念的に示すタイミングチャートである。
【符号の説明】
【００６２】
１００  光ディスク
１０４  リードインエリア
１０６  ユーザデータエリア
１１１  コントロールデータゾーン
１１２  エクストラボーダーゾーン
１１３  エンボスデータエリア
１１４  グルーブエリア
３００  情報記録再生装置
３５２  光ピックアップ
３５３  信号記録再生手段
３５４  ＣＰＵ
４０２、４０５  比較信号生成器
４０６  比較信号用スイッチ
４１０  ＰＬＬ
４１６  自走切替用スイッチ
ＬＰＰ  ランドプリピット
Ｂ＿ＣＬＫ  基準クロック
Ｐ＿ＣＬＫ  再生クロック
Ｒ＿ＣＬＫ  記録クロック
【発明を実施するための最良の形態】
【００６３】
以下、本発明を実施するための最良の形態について実施例毎に順に図面に基づいて説明する。【００６４】
（情報記録媒体）
初めに、図１から図５を参照して本発明の情報記録媒体に係る実施例について説明を進める。
（１）基本構成
先ず図１及び図２を参照して、本発明の情報記録媒体の実施例に係る光ディスクの基本構造について説明する。ここに、図１は、上側に複数のエリアを有する光ディスクの構造を概略平面図で示すと共に、下側にその径方向におけるエリア構造を概念図で対応付けて示すものであり、図２は、本実施例に係る光ディスクの記録面における部分拡大斜視図である。【００６５】
図１に示すように、光ディスク１００は、例えば、記録（書き込み）が複数回又は１回のみ可能な、光磁気方式、有機色素の熱分解方式、相変化方式等の各種記録方式で記録可能とされており、ＤＶＤと同じく直径１２ｃｍ程度のディスク本体上の記録面に、センターホール１０２を中心として内周から外周に向けて、リードインエリア１０４、ユーザデータエリア１０６及びリードアウトエリア１０８が設けられている。そして、各エリアには、例えば、センターホール１０２を中心にスパイラル状或いは同心円状に、グルーブトラックＧＴ及びランドトラックＬＴが交互に設けられており、このグルーブトラックＧＴはウォブリングされてもよいし、これらのうち一方又は両方のトラックにプリピットが形成されていてもよい。【００６６】
尚、本発明は、このような三つのエリアを有する光ディスクには特に限定されない。例えば、リードインエリア１０４やリードアウトエリア１０８が存在せずとも、以下に説明するファイル構造は構築可能である。また、リードインエリア１０４やリードアウトエリア１０８は更に細分化された構成であってもよい。【００６７】
また、本実施例に係る光ディスク１００は、記録層が１層の光ディスクに限定されず、２層片面（即ち、デュアルレイヤー）や２層両面（即ち、デュアルレイヤーダブルサイド）であってもよい。更には、２層の記録層を有する光ディスクに限られることなく、３層以上の多層型の光ディスクであってもよい。【００６８】
また、図２に示すように、本実施例に係る光ディスク１００は、ディスク状の透明基板２０６上に（図２では下側に）、加熱などによる非可逆変化記録型あるいは結晶とアモルファスの相変化による可逆変化記録型の情報記録面を構成する記録層２０７が積層され、更にその上に（図２では下側）に、反射膜２０８が積層されている。そして、反射膜２０８の上には（図２では下側）、保護層２０５が形成され、外部からの埃や傷等から光ディスク１００を保護している。記録層２０７の表面からなる情報記録面には、グルーブトラックＧＴ及びランドトラックＬＴが交互に形成されている。尚、光ディスク１００の記録時及び再生時には、例えば図２に示したように、透明基板２０６を介してグルーブトラックＧＴ上に、レーザ光ＬＢが照射される。例えば、記録時には、記録レーザパワーでレーザ光ＬＢが照射されることで、記録データに応じて、記録層２０７への加熱などによる非可逆変化記録又は可逆変化記録が実施される。他方、再生時には、記録レーザパワーよりも弱い再生レーザパワーでレーザ光ＬＢが照射されることで、記録層２０７へ書き込みされた記録データの読出しが実施される。【００６９】
そして、グルーブトラックＧＴは、一定の振幅及び空間周波数で揺動されている。即ち、グルーブトラックＧＴは、ウォブリングされており、そのウォブル１１９の周期は所定値に設定されている。ランドトラックＬＴ上にはディスク情報やプリフォーマットアドレスを示すランドプリピットＬＰＰと呼ばれるアドレスピットが形成されている。この２つのアドレッシング（即ち、ウォブル１１９及びランドプリピットＬＰＰ）により記録中のディスク回転制御や記録動作時に用いられる基準クロックＢ＿ＣＬＫの生成、また記録アドレス等のデータ記録に必要な情報を得ることができる。より具体的には、ランドプリピットＬＰＰを読み取ることで後述の比較信号（本発明における「第１参照信号」の一具体例）が取得され、この比較信号が後述のＰＬＬ４１０に入力されることで、所定の基準クロックＢ＿ＣＬＫが生成される。尚、グルーブトラックＧＴのウォブル１１９を周波数変調や位相変調など所定の変調方式により変調することによりプリフォーマットアドレスを予め記録するようにしてもよい。【００７０】
（２）具体的構造
続いて、図３から図５を参照して、本実施例に係る情報記録媒体のより具体的構造について説明を進める。ここに、図３は、本実施例に係る光ディスクのリードインエリア１０４及びユーザデータエリア１０６の境界付近のデータ構造を概念的に示す説明図であり、図４は、エンボスエリア及びグルーブエリアの夫々において取得されるクロック信号を示す説明図であり、図５は、本実施例に係る光ディスクを製造するカッティング装置を概念的に示す説明図である。【００７１】
図３に示すように、リードインエリア１０４内の最外周側には、コントロールデータゾーン１１１とエクストラボーダーゾーン１１２が設けられている。【００７２】
コントロールデータゾーン１１１には、例えばユーザデータエリア１０６（特に、後述のグルーブエリア１１４）に記録される各種コンテンツデータ（例えば、映像データや音声データやＰＣ用データ等）の暗号化を規定する暗号化データ等（例えば、暗号化キー等）が記録される。特に、本実施例に係る光ディスク１００において、コントロールデータゾーン１１１に記録される暗号化データ等は予めエンボスピットとして記録されている。従って、ＤＶＤ−ＲＯＭ等の再生専用の光ディスクに記録されている各種コンテンツデータを光ディスク１００にそのまま複製しようとしても、コントロールデータゾーン１１１へ上書きされるデータとエンボスピットが干渉してしまう。このため、コントロールデータゾーン１１１に記録されたデータ或いはエンボスピットとして予め記録されているデータを読み取ることができない。従って、各種コンテンツデータを再生することができなくなり、結果として各種コンテンツデータ等の不正な複製等を防止でき、各種コンテンツデータの著作権を保護できる。【００７３】
エクストラボーダーゾーン１１２には、ユーザデータエリア１０６（特に、後述のグルーブエリア１１４）に記録される各種コンテンツデータの記録の態様等を示す管理データ等が記録される。管理データとして、例えば、ユーザデータエリア１０６内における各種コンテンツデータの記録の分布を示すマッピングデータや、該ユーザデータエリア１０６を複数のボーダーエリアに区分して各種コンテンツデータを記録した際の、次に続くボーダーエリアのアドレス位置等が記録される。特に、本実施例に係る光ディスク１００において、エクストラボーダーゾーン１１２に記録される管理データ等は予めエンボスピットとして記録されている。従って、後述するエンボスデータエリア１１３のデータ情報等を取得する事ができる。【００７４】
また、ユーザデータエリア１０６の最内周側には、本発明の「第２エリア」の一具体例を構成するエンボスデータエリア１１３と、本発明の「第１エリア」の一具体例を構成するグルーブエリア１１４とが設けられている。【００７５】
エンボスデータエリア１１３には、所定のエンボスピットが形成されている。特に、エンボスピットは、このエンボスピットが読み取られることで（即ち、レーザ光ＬＢが照射されることで）後述する比較信号（本発明における「第２参照信号」の一具体例）が取得される。そして、この比較信号が後述のＰＬＬ４１０に入力されることで、所定の再生クロックＰ＿ＣＬＫが生成されるように、エンボスデータエリア１１３に予め形成されている。そして、このエンボスピットは、例えば各種管理データや各種コンテンツデータ（或いは、それらの一部）を示すようにエンボスデータエリア１１３内に形成されていてもよい。【００７６】
尚、以上説明したエンボスピットが形成されるコントロールデータゾーン１１１、エクストラボーダーゾーン１１２及びエンボスデータエリア１１３には、ランドプリピットＬＰＰは形成されていない。これは、エンボスピットとランドプリピットＬＰＰとが近接していることで、夫々のピットを再生する際に他のピットの存在により好適な再生信号（或いは、再生クロックＰ＿ＣＬＫ）を取得できなくなってしまうという不都合を効果的に防ぐためである。即ち、エンボスピットとランプリピットＬＰＰとは共に物理的な形状により所定のデータを記録しているがゆえに相互に干渉してしまうという不都合を効果的に防ぐためである。もちろん、これらのゾーンやエリアにもランドプリピットＬＰＰが形成されていてもよいが、夫々のゾーンやエリアに形成されているエンボスピットが好適に読み取られ、各種データが好適に再生されることが前提となる。【００７７】
グルーブエリア１１４には、図２を示して説明したようなランドプリピットＬＰＰ等が形成されている。そして、グルーブトラックＧＴに沿って所定パルス形状を有する所定パワーのレーザ光ＬＢが照射されることで、各種コンテンツデータが記録される。【００７８】
本実施例では特に、エンボスデータエリア１１３に形成されているエンボスピットより生成される（即ち、エンボスピットが読み取られることで取得される比較信号に基づいて生成される）再生クロックＰ＿ＣＬＫの位相と、グルーブエリア１１４に形成されているランドプリピットＬＰＰより生成される（即ち、ランドプリピットＬＰＰが読み取られることで取得される比較信号に基づいて生成される）基準クロックＢ＿ＣＬＫの位相とは同一或いは概ね同一である。更に、エンボスデータエリア１１３に形成されているエンボスピットより生成される再生クロックＰ＿ＣＬＫの周波数と、グルーブエリア１１４に形成されているランドプリピットＬＰＰより生成される基準クロックＢ＿ＣＬＫの周波数とは同一或いは概ね同一である。尚、再生クロックＰ＿ＣＬＫは、各種コンテンツデータを再生する際に、後述の情報記録再生装置により実際に参照されるクロック信号である。また基準クロックＢ＿ＣＬＫは、各種コンテンツデータ等を記録する際に、後述の情報記録再生装置により実際に参照される記録クロックＲ＿ＣＬＫを生成するために用いられるクロック信号である。【００７９】
具体的に再生クロックＰ＿ＣＬＫ及び基準クロックＢ＿ＣＬＫを図示すると、例えば図４（ａ）に示すように、エンボスデータエリア１１３に形成されているエンボスピットより生成される再生クロックＰ＿ＣＬＫの位相及び周波数の夫々が、グルーブエリア１１４に形成されているランドプリピットＬＰＰより生成される基準クロックＢ＿ＣＬＫの位相及び周波数の夫々と同一となる。言い換えれば、図４（ａ）に示す再生クロックＰ＿ＣＬＫが生成されるようなエンボスピットがエンボスデータエリア１１３に形成され、且つ図４（ａ）に示す基準クロックＢ＿ＣＬＫが生成されるようなランドプリピットＬＰＰがグルーブエリア１１４に形成される。【００８０】
このように、エンボスピット及びランドプリピットＬＰＰが形成されることで、グルーブエリア１１４の先頭部分（即ち、最内周側の部分）より好適にデータの記録を開始することができる。具体的に説明すると、グルーブエリア１１４の先頭部分よりデータの記録を開始する際には、該先頭部分にデータを記録し始めようとする時点で、適切な記録クロックＲ＿ＣＬＫが生成されている必要がある。このとき、該先頭部分から初めてデータを記録する場合には、その手前部分（即ち、より内周側のエンボスデータエリア１１３）よりレーザ光ＬＢを光ディスク１００の記録面に照射しながら先頭部分をサーチする。そして本実施例に係る光ディスク１００によれば、エンボスデータエリア１１３に形成されているエンボスピットが読み取られることで得られる比較信号に基づいて、所定の再生クロックＰ＿ＣＬＫを生成することができる。そしてこの再生クロックＰ＿ＣＬＫは、グルーブエリア１１４に形成されているランドプリピットＬＰＰが読み取られることで得られる比較信号に基づいて生成される基準クロックＢ＿ＣＬＫと同じ位相及び周波数を有している。このため、この再生クロックＰ＿ＣＬＫを記録クロックＲ＿ＣＬＫとして用いれば、ランドプリピットＬＰＰより基準クロックＢ＿ＣＬＫが生成されていなくともグルーブエリア１１４の先頭部分よりデータの記録を開始することができる。【００８１】
そして、グルーブエリア１１４において所定時間データの記録が行われれば、一定数のランドプリピットＬＰＰが読み取られるため、今度は該ランドプリピットＬＰＰより生成される基準クロックＢ＿ＣＬＫを記録クロックＲ＿ＣＬＫとして用いることができる。このとき、上述したように、エンボスデータエリア１１３に形成されているエンボスピットより生成される再生クロックＰ＿ＣＬＫとグルーブエリア１１４に形成されているランドプリピットＬＰＰより生成される基準クロックＢ＿ＣＬＫとは、その位相及び周波数が同一或いは概ね同一である。このため、データの記録途中で記録クロックＲ＿ＣＬＫを生成するために用いる比較信号を切り替えたとしても、クロック信号の切り替わり部分において特段の不都合が生じることはない。より具体的には、後述のＰＬＬ４１０において、ＰＬＬ４１０のロックは外れない。言い換えれば、ＰＬＬ４１０のロックが外れないような比較信号を取得できるようなエンボスピットがエンボスデータエリア１１３には形成されている。これにより、クロック信号の切り替わりによっても、記録クロックＲ＿ＣＬＫとしては特段の変化を生じることなく、後述の情報記録再生装置に認識される。【００８２】
尚、参考までに、本実施例に係る光ディスク１００の比較例として、現在市場に流通しているいわゆるハイブリッド型の光ディスク（具体的には、例えば著作権保護用のＣＰＲＭ対応のＤＶＤ−ＲＷ等）について説明する。比較例に係る光ディスクは、エンボスデータエリア（特に、エンボスデータエリアのうちグルーブエリアとの境界付近）において記録クロックＲ＿ＣＬＫを生成するべく、ランドプリピットが形成されている。そして、ランドプリピットとエンボスピットとの干渉を防ぐために、読取不可能な（即ち、ピットとしての単なる形状を有しているにすぎず、何らデータを示していない）アンリーダブルエンボスピットが形成されている。即ち、比較例に係る光ディスクにおいては、各種コンテンツデータの著作権を保護するために形状だけのアンリーダブルエンボスピットを形成して再生専用の記録領域を確保し、且つランドプリピットを形成して基準クロックＢ＿ＣＬＫを生成可能に構成されている。このため、グルーブエリアの先頭部分に各種コンテンツデータを記録する場合には、エンボスデータエリアに形成されているランドプリピットより生成される基準クロックＢ＿ＣＬＫを記録クロックＲ＿ＣＬＫとして用いることができる。また、既存の情報再生装置（例えば、ＤＶＤプレーヤ等）は該アンリーダブルエンボスピットを適切に読み取ることができない（即ち、再生することができない）が、データエリアではないために問題は生じない。しかしながら、アンリーダブルエンボスがデータエリアに形成されている場合は、その場所を読もうとすると再生エラーが発生し、この光ディスクを適切に再生することができないという不都合が生ずる。ひいては再生動作の暴走（例えば、制御不能等）の不都合につながりかねず、好ましいとは言えない。【００８３】
しかしながら本実施例に係る光ディスク１００によれば、エンボスデータエリア１１３には、少なくとも再生クロックＰ＿ＣＬＫを生成可能な（即ち、リーダブルな）エンボスピットが形成されているため、比較例に係る光ディスクの如き不都合を生ずることはない。即ち、既存の情報再生装置であってもエンボスデータエリア１１３に形成されているエンボスピットを好適に読み取ることがでる。そして、記録クロックＲ＿ＣＬＫとして用いることができる再生クロックＰ＿ＣＬＫをエンボスピットより生成できるため、グルーブエリア１１４の先頭部分においても、好適に記録クロックＲ＿ＣＬＫを生成でき、情報記録装置による好適なデータの記録が可能となる。【００８４】
以上の結果、エンボスピットが形成される再生専用の記録領域（即ち、上述のコントロールデータゾーン１１１、エクストラボーダーゾーン１１２及びエンボスデータエリア１１３）と各種コンテンツデータ等を記録するための記録可能な記録領域との双方を備えるハイブリッド型の光ディスクであっても、好適に各種コンテンツデータの記録及び再生を行うことが可能となる。即ち、当該光ディスク１００が市場に出回る前に流通している既存の情報再生装置や情報記録装置においても、その再生動作や記録動作に何ら影響を及ぼさない好適な光ディスク１００を実現することができる。【００８５】
尚、エンボスデータエリア１１３において生成される再生クロックＰ＿ＣＬＫを用いてグルーブエリア１１４の先頭部分より各種コンテンツデータの記録を行うため、エンボスデータエリア１１３とグルーブエリア１１４とは相隣接している必要がある。【００８６】
尚、図４（ｂ）に示すように、エンボスデータエリアに１１３に形成されているエンボスピットより生成される再生クロックＰ＿ＣＬＫの位相と、グルーブエリア１１４に形成されているランドプリピットＬＰＰより生成される基準クロックＢ＿ＣＬＫの位相とが、例えば所定の位相差Δθを有していてもよい。より具体的には、基準クロックＢ＿ＣＬＫ及び再生クロックＰ＿ＣＬＫの切り替わりによっても、記録クロックＲ＿ＣＬＫとしては特段の変化を生じることなく後述の情報記録再生装置に認識されれば、所定の位相差Δθを有していてもよい。【００８７】
或いは、図４（ｃ）に示すように、エンボスデータエリアに１１３に形成されているエンボスピットより生成される再生クロックＰ＿ＣＬＫの周波数と、グルーブエリア１１４に形成されているランドプリピットＬＰＰより生成される基準クロックＢ＿ＣＬＫの周波数とが、例えば所定の周波数差Δｆを有していてもよい。より具体的には、基準クロックＢ＿ＣＬＫ及び再生クロックＰ＿ＣＬＫの切り替わりによっても、記録クロックＲ＿ＣＬＫとしては特段の変化を生じることなく後述の情報記録再生装置に認識されれば、所定の周波数差Δｆを有していてもよい。【００８８】
要は、記録クロックＲ＿ＣＬＫとして用いる基準クロックＢ＿ＣＬＫ及び再生クロックＰ＿ＣＬＫの夫々をスムーズに切り替える（或いは、つなげる）ことができる程度の位相及び周波数を有するエンボスピット及びランドプリピットＬＰＰの夫々が、エンボスデータエリア１１３又はグルーブエリア１１４に形成されていれば足りる。【００８９】
また、コントロールデータゾーン１１１及びエクストラボーダーゾーン１１２の夫々に又はいずれか一方に形成されるエンボスピットについても、エンボスデータエリア１１３に形成されるエンボスピットと同様の再生クロックＰ＿ＣＬＫが生成されるように形成してもよい。但し、少なくともエンボスデータエリア１１３に再生クロックＰ＿ＣＬＫを取得可能なエンボスピットが形成されていれば、上述した各種利益を享受することができるため、必ずしも形成されていなくともよい。また、エンボスデータエリア１１３の全体に渡って、再生クロックＰ＿ＣＬＫを生成可能なエンボスピットが形成されていなくともよい。例えば、少なくとも一部の記録領域（より好ましくは、グルーブエリア１１４と相隣接する少なくとも一部の記録領域）に再生クロックＰ＿ＣＬＫを生成可能なエンボスピットが形成されていてもよい。【００９０】
加えて、このような本実施例に係る光ディスク１００は、図５に示すように、所定のカッティングクロックＣ＿ＣＬＫに基づいてレーザカッティング動作を行うカッティング装置により比較的容易に製造することができる。即ち、カッティングクロックＣ＿ＣＬＫに基づいてエンボスデータエリア１１３におけるエンボスピットを形成し、且つ同じカッティングクロックＣ＿ＣＬＫに基づいてグルーブエリア１１４におけるランドプリピットＬＰＰを形成する。同一の参照クロックＣ＿ＣＬＫを用いてエンボスピット及びランドプリピットＬＰＰを形成しているため、上述したような位相及び周波数が同一或いは概ね同一となるような光ディスク１００を比較的容易に製造することができる。【００９１】
（情報記録再生装置）
続いて、図６から図１４を参照して本発明の情報記録装置に係る実施例である情報記録再生装置について説明する。【００９２】
（１）第１実施例
初めに、図６から図９を参照して、第１実施例に係る情報記録再生装置について説明する。【００９３】
（１−１）基本構成
先ず、図６及び図７を参照して、第１実施例に係る情報記録再生装置３００及び、ホストコンピュータ４００の構成について説明する。ここに、図６は、第１実施例に係る情報記録再生装置及びホストコンピュータのブロック図であり、図７は、第１実施例に係る情報記録再生装置が備える記録クロック生成器の基本構成を概念的に示すブロック図である。尚、情報記録再生装置３００は、光ディスク１００に記録データを記録する機能と、光ディスク１００に記録された記録データを再生する機能とを備える。【００９４】
図６を参照して情報記録再生装置３００の内部構成を説明する。情報記録再生装置３００は、ドライブ用のＣＰＵ（Central Processing Unit）３５４の制御下で、光ディスク１００に情報を記録すると共に、光ディスク１００に記録された情報を読み取る装置である。【００９５】
情報記録再生装置３００は、光ディスク１００、スピンドルモータ３５１、光ピックアップ３５２、信号記録再生手段３５３、ＣＰＵ（ドライブ制御手段）３５４、メモリ３５５、データ入出力制御手段３０６、記録クロック生成器３５６、及びバス３５７を備えて構成されている。また、ホストコンピュータ４００は、ＣＰＵ３５９、メモリ３６０、操作／表示制御手段３０７、操作ボタン３１０、表示パネル３１１、データ入出力制御手段３０８、及びバス３５８を備えて構成される。【００９６】
スピンドルモータ３５１は光ディスク１００を回転及び停止させるもので、光ディスク１００へのアクセス時に動作する。より詳細には、スピンドルモータ３５１は、図示しないサーボユニット等によりスピンドルサーボを受けつつ所定速度で光ディスク１００を回転及び停止させるように構成されている。【００９７】
光ピックアップ３５２は、光ディスク１００への記録再生を行うために、例えば半導体レーザ装置とレンズ等から構成される。より詳細には、光ピックアップ３５２は、光ディスク１００に対してレーザ光を、再生時には読み取り光として第１のパワーで照射し、記録時には書き込み光として第２のパワーで且つ変調させながら照射する。【００９８】
信号記録再生手段３５３は、本発明における「記録手段」の一具体例であって、スピンドルモータ３５１と光ピックアップ３５２を制御することで光ディスク１００に対して記録再生を行う。より具体的には、信号記録再生手段３５３は、例えば、レーザダイオード（ＬＤ）ドライバ及びヘッドアンプ等によって構成されている。レーザダイオードドライバ（ＬＤドライバ）は、光ピックアップ３５２内に設けられた図示しない半導体レーザを駆動する。ヘッドアンプは、光ピックアップ３５２の出力信号、即ち、レーザ光の反射光を増幅し、該増幅した信号を出力する。より詳細には、信号記録再生手段３５３は、ＯＰＣ（Optimum Power Control）処理時には、ＣＰＵ３５４の制御下で、図示しないタイミング生成器等と共に、ＯＰＣパターンの記録及び再生処理により最適なレーザパワーの決定が行えるように、光ピックアップ３５２内に設けられた図示しない半導体レーザを駆動する。【００９９】
メモリ３５５は、記録再生データのバッファ領域や、信号記録再生手段３５３で使用出来るデータに変換する時の中間バッファとして使用される領域など情報記録再生装置３００におけるデータ処理全般及びＯＰＣ処理において使用される。また、メモリ３５５はこれらレコーダ機器としての動作を行うためのプログラム、即ちファームウェアが格納されるＲＯＭ領域と、記録再生データの一時格納用バッファや、ファームウェアプログラム等の動作に必要な変数が格納されるＲＡＭ領域などから構成される。【０１００】
ＣＰＵ（ドライブ制御手段）３５４は、信号記録再生手段３５３及びメモリ３５５と、バス３５７を介して接続され、各種制御手段に指示を行うことで、情報記録再生装置３００全体の制御を行う。通常、ＣＰＵ３５４が動作するためのソフトウェア又はファームウェアは、メモリ３５５に格納されている。【０１０１】
データ入出力制御手段３０６は、情報記録再生装置３００に対する外部からのデータ入出力を制御し、メモリ３５５上のデータバッファへの格納及び取り出しを行う。情報記録再生装置３００とＳＣＳＩや、ＡＴＡＰＩなどのインタフェースを介して接続されている外部のホストコンピュータ４００（以下、適宜ホストと称す）から発行されるドライブ制御命令は、データ入出力制御手段３０６を介してＣＰＵ３５４に伝達される。また、記録再生データも同様にデータ入出力制御手段３０６を介して、ホストコンピュータ４００とやり取りされる。【０１０２】
操作／表示制御手段３０７はホストコンピュータ４００に対する動作指示受付と表示を行うもので、例えば記録又は再生といった操作ボタン３１０による指示をＣＰＵ３５９に伝える。ＣＰＵ３５９は、操作／表示制御手段３０７からの指示情報を元に、データ入出力手段３０８を介して、情報記録再生装置３００に対して制御命令（コマンド）を送信し、情報記録再生装置３００全体を制御する。同様に、ＣＰＵ３５９は、情報記録再生装置３００に対して、動作状態をホストコンピュータ４００に送信するように要求するコマンドを送信することができる。これにより、記録中や再生中といった情報記録再生装置３００の動作状態が把握できるためＣＰＵ３５９は、操作／表示制御手段３０７を介して蛍光管やＬＣＤなどの表示パネル３１１に情報記録再生装置３００の動作状態を出力することができる。【０１０３】
メモリ３６０は、ホストコンピュータ４００が使用する内部記憶装置であり、例えばＢＩＯＳ（Basic Input／Output System)等のファームウェアプログラムが格納されるＲＯＭ領域、オペレーティングシステムや、アプリケーションプログラム等の動作に必要な変数等が格納されるＲＡＭ領域などから構成される。また、データ入出力制御手段３０８を介して、図示しないハードディスク等の外部記憶装置に接続されていてもよい。【０１０４】
記録クロック生成器３５６は、情報記録再生装置３００が所定のデータを光ディスクに記録する際の記録クロックを生成可能に構成されている。この記録クロック生成器３５６について、図７を参照してより詳細に説明する。【０１０５】
図７に示すように、記録クロック生成器３５６は、２値化回路４０１、比較信号生成器４０２、ＬＰＰ検出器４０３、ウォブル検出器４０４、比較信号生成器４０５、比較信号用スイッチ（ＳＷ）４０６、ＰＬＬ（Phase Locked Loop）４１０を備えている。【０１０６】
２値化回路４０１は、光ディスク１００を再生することで取得されるＲＦ信号に所定の信号処理を施すことで、例えば“０”及び“１”の２値データに変換する。【０１０７】
比較信号生成器４０２は、本発明における「第２生成手段」の一具体例であって、２値化回路４０１において２値化されたＲＦ信号より、記録クロックＲ＿ＣＬＫを生成するために用いられる比較信号Ｓ２（即ち、上述したエンボスピットが読み取られることで得られる比較信号であり、以下適宜“第２比較信号”と称する）を生成可能に構成されている。【０１０８】
ＬＰＰ検出器４０３は、例えば４分割受光素子等を用いて光ディスク１００に照射されたレーザ光ＬＢの反射光を検出することで得られるプッシュプル信号より、ＬＰＰデータを生成可能に構成されている。ＬＰＰ検出器４０３は、例えばＨＰＦ（High Pass Filter）を含んでいてもよいし、或いは所定の閾値とプッシュプル信号とを比較するためのコンパレータ等を含んでいてもよい。【０１０９】
ウォブル検出器４０４は、プッシュプル信号よりウォブルデータを生成可能に構成されている。ウォブル検出器４０４は、例えばＢＰＦ（Band Pass Filter）を含んでいてもよい。【０１１０】
比較信号生成器４０５は、本発明における「第１生成手段」の一具体例であって、ＬＰＰ検出器４０３において生成されるＬＰＰデータ及びウォブル検出器４０４において生成されるウォブル信号より、記録クロックＲ＿ＣＬＫを生成するために用いられる比較信号Ｓ１（即ち、上述したランドプリピットＬＰＰが読み取られることで得られる比較信号であり、以下適宜“第１比較信号”と称する）を生成可能に構成されている。【０１１１】
比較信号用スイッチ４０６は、本発明における「選択手段」の一具体例であって、記録クロックＲ＿ＣＬＫを生成するためにＰＬＬ４１０に入力される比較信号を切り替える。特に、ＣＰＵ３５４から出力される比較信号切替命令に基づいて、ＰＬＬ４１０に入力される比較信号を、第１比較信号及び第２比較信号のいずれかに切り替える。【０１１２】
ＰＬＬ４１０は、本発明における「第３生成手段」の一具体例であって、位相比較器４１１、積分回路４１２、ＶＣＯ４１３及び分周回路４１４を備えており、比較信号用スイッチ４０６を介して入力される比較信号に基づいて、所定の記録クロックＲ＿ＣＬＫを生成可能に構成されている。【０１１３】
以上説明した、情報記録再生装置３００とホストコンピュータ４００を組み合わせて使用する一具体例は、映像を記録再生するレコーダ機器等の家庭用機器である。このレコーダ機器は放送受信チューナや外部接続端子からの映像信号をディスクに記録し、テレビなど外部表示機器にディスクから再生した映像信号を出力する機器である。メモリ３６０に格納されたプログラムをＣＰＵ３５９で実行させることでレコーダ機器としての動作を行っている。また、別の具体例では、情報記録再生装置３００はディスクドライブ（以下、適宜ドライブと称す）であり、ホストコンピュータ４００はパーソナルコンピュータやワークステーションである。パーソナルコンピュータ等のホストコンピュータ４００とディスクドライブはＳＣＳＩやＡＴＡＰＩといったデータ入出力制御手段３０６及び３０８を介して接続されており、ホストコンピュータ４００にインストールされているライティングソフトウェア等のアプリケーションが、ディスクドライブを制御する。【０１１４】
（１−２）記録動作例
続いて、図８及び図９を参照して、第１実施例に係る情報記録再生装置３００による記録動作について説明する。ここに、図８は、第１実施例に係る記録動作全体の流れを概念的に示すフローチャートであり、図９は、記録動作中の記録クロックの生成に関連する各種信号の変化の態様を概念的に示すタイミングチャートである。【０１１５】
図８に示すように、ＣＰＵ３５４の制御の下に、先ずグルーブエリア１１４にレーザ光ＬＢがフォーカシングされているか否かが判定される（ステップＳ１０１）。即ち、今現在グルーブエリア１１４に各種コンテンツデータの記録が行なわれているか否か、記録が開始されておらず今から開始しようとしているか否か等が判定される。【０１１６】
この判定の結果、グルーブエリア１１４へフォーカシングされていない（或いは、未だグルーブエリア１１４への各種コンテンツデータの記録が開始されていない）と判定された場合（ステップＳ１０１：Ｎｏ）、ＣＰＵ３５４から出力される比較信号切替命令に基づいて、比較信号用スイッチ４０６が（２）側へ切り替えられる（ステップＳ１０３）。即ち、グルーブエリア１１４へレーザ光ＬＢがフォーカシングされていなければ、グルーブエリア１１４に形成されているランドプリピットＬＰＰを読み取って基準クロックＢ＿ＣＬＫを生成することはできない。従って、この場合は、グルーブエリア１１４の更に内周側に位置するエンボスデータエリア１１３に形成されているエンボスピットから再生クロックＰ＿ＣＬＫを生成する。そして、記録クロックＲ＿ＣＬＫを生成するために、エンボスデータエリア１１３において取得されるＲＦ信号が比較信号生成器４０２へ入力される（ステップＳ１０５）。【０１１７】
他方、グルーブエリア１１４へフォーカシングされている（或いは、既にグルーブエリア１１４への各種コンテンツデータの記録が開始されている）と判定された場合（ステップＳ１０１：Ｙｅｓ）、ＣＰＵ３５４より出力される比較信号切替命令に基づいて、比較信号用スイッチ４０６が（１）側へ切り替えられる（ステップＳ１０２）。即ち、グルーブエリア１１４へレーザ光ＬＢがフォーカシングされていれば、グルーブエリア１１４に形成されているランドプリピットＬＰＰから基準クロックＢ＿ＣＬＫを生成できる。このため、記録クロックＲ＿ＣＬＫを生成するために、プッシュプル信号がＬＰＰ検出器４０３及びウォブル検出器４０４へ入力され（ステップＳ１０４）、その後ＬＰＰデータやウォブルデータが比較信号生成器４０５へ入力される。【０１１８】
続いて、比較信号生成器４０２又は４０５において第１比較信号Ｓ１又は第２比較信号Ｓ２が生成される（ステップＳ１０６）。この場合、比較信号用スイッチ４０６のうちステップＳ１０２又はＳ１０３において切り替えられた側の入力部に接続する比較信号生成器４０２及び４０５のいずれか一方において比較信号が生成されれば足りる。もちろん、比較信号用スイッチ４０６のうちステップＳ１０２又はＳ１０３において切り替えられていない側の入力部に接続する比較信号生成器４０２及び４０５のいずれか一方においても比較信号が生成されてもよい。【０１１９】
尚、この場合、記録クロックＲ＿ＣＬＫを生成するための比較信号に加えて、例えばアドレス情報やシンクパターンの検出等もＲＦ信号及びプッシュプル信号に基づいて同時に行われることが好ましい。【０１２０】
そして、ステップＳ１０２又はＳ１０３において切り替えられた側より比較信号用スイッチ４０６に入力される比較信号がＰＬＬ４１０へ出力され、記録クロックＲ＿ＣＬＫが生成される（ステップＳ１０７）。そして、この記録クロックＲ＿ＣＬＫを参照しながら、各種コンテンツデータがグルーブエリア１１４に記録される（ステップＳ１０８）。【０１２１】
その後、ＣＰＵ３５４の制御の下に、記録動作を終了するか否かが判定される（ステップＳ１０９）。例えば、記録すべきデータの全てを記録していれば終了すると判定されてもよいし、ユーザにより記録停止の指示がなされれば終了すると判定されてもよい。【０１２２】
この判定の結果、記録動作を終了しないと判定された場合（ステップＳ１０９：Ｎｏ）、再びステップＳ１０１に戻って記録動作を継続する。【０１２３】
他方、記録動作を終了すると判定された場合（ステップＳ１０９：Ｙｅｓ）、記録動作を終了し、必要に応じて光ディスク１００のファイナライズ処理を行ったり、或いは光ディスク１００を情報記録再生装置３００よりイジェクトしてもよい。【０１２４】
以上説明したように、ステップＳ１０１において記録開始前（即ち、グルーブエリア１１４へレーザ光ＬＢがフォーカシングされていない場合）には、エンボスデータエリア１１３から取得される第２比較信号Ｓ２に基づいて生成される記録クロックＲ＿ＣＬＫを参照しながら各種コンテンツデータの記録が開始される。即ち、第２比較信号に基づいて生成される再生クロックＰ＿ＣＬＫを記録クロックＲ＿ＣＬＫとして参照しながら各種コンテンツデータの記録が行なわれる。従って、実際にランドプリピットＬＰＰより基準クロックＢ＿ＣＬＫを生成していなくとも、グルーブエリア１１４において好適に各種コンテンツデータの記録を開始することができる。特に、グルーブエリア１１４の先頭部分より好適に各種コンテンツデータの記録を開始することができる。そして、光ディスク１００は、図１から図６において説明した特徴を有しているため、エンボスデータエリア１１３から取得される第２比較信号Ｓ２に基づいて記録クロックＲ＿ＣＬＫを生成しても特段の不都合を生ずることはない。【０１２５】
そして、実際にグルーブエリア１１４への記録を進めていくことでランドプリピットＬＰＰが読み取られれば、比較信号用スイッチ４０６を切り替えることで、ランドプリピットＬＰＰより取得される第１比較信号Ｓ１に基づいて記録クロックＲ＿ＣＬＫが生成される。従って、以降は、第１比較信号Ｓ１に基づいて生成される記録クロックＲ＿ＣＬＫを参照しながら各種コンテンツデータの記録が行われる。即ち、基準クロックＰ＿ＣＬＫを記録クロックＲ＿ＣＬＫとして参照しながら各種コンテンツデータの記録が行なわれる。この場合も、光ディスク１００が図１から図５において説明した特徴を有しているがゆえに、記録クロックＲ＿ＣＬＫを生成するデータ源を、エンボスデータエリア１１３より取得される第２比較信号からグルーブエリア１１４より取得される第１比較信号に又はその逆に切替えたとしても、特段の不都合を生ずることはない。【０１２６】
具体的に、グルーブエリア１１４への各種コンテンツデータの記録を開始する場合の、ＲＦ信号やプッシュプル信号や比較信号等について、図９を参照しながら説明する。【０１２７】
図９に示すように、エンボスデータエリア１１３にレーザ光ＬＢが照射されている場合には、ＲＦ信号が検出される。この場合、このＲＦ信号に基づいて第２比較信号Ｓ２が生成される。【０１２８】
他方、グルーブエリア１１４にレーザ光ＬＢが照射されている場合には、プッシュプル信号にＬＰＰ信号とウォブル信号が検出される。この場合、このプッシュプル信号に基づいて第１比較信号Ｓ１が生成される。【０１２９】
また、ＣＰＵ３５４より比較信号切替命令を出力するために、別途エリア判別信号が生成されていてもよい。例えば、エンボスデータエリア１１３にレーザ光ＬＢが照射されている場合にＬＯＷレベルとなり、グルーブエリア１１４にレーザ光ＬＢが照射されている場合にＨＩＧＨレベルとなるようなエリア判別信号であってもよい。そして、エリア判別信号がＨＩＧＨレベルであれば、比較信号用スイッチ４０６が（１）側に切替えられ、エリア判別信号がＬＯＷレベルであれば、比較信号用スイッチ４０６が（２）側に切替えられるように構成してもよい。【０１３０】
尚、上述した第１実施例では、比較信号用スイッチ４０６の切替を行うための判定（即ち、図８のステップＳ１０１における判定）は、グルーブエリア１１４へレーザ光ＬＢがフォーカシングされているか否か、即ちレーザ光ＬＢが照射されている記録領域の位置を基準として行っているが、これに限られることはない。例えば、記録しようとしている各種コンテンツデータ（具体的には、変調処理やＥＣＣ付加処理等がなされた後のコンテンツデータ）のデータ構造に基づいて、比較信号用スイッチ４０６の切替を行うための判定を行ってもよい。或いは、その他の手法に基づいて、比較信号用スイッチ４０６の切替を行うための判定を行ってもよい。【０１３１】
尚、エンボスデータエリア１１３に形成されるエンボスピットとグルーブエリア１１４に形成されるランドプリピットＬＰＰとの関係について、図１０及び図１１を参照して更に詳細に説明を進める。ここに、図１０は、ランドプリピットＬＰＰがＥｖｅｎポジションに形成されている場合の、記録動作中の記録クロックの生成に関連する各種信号の変化の態様を概念的に示すタイミングチャートであり、図１１は、ランドプリピットＬＰＰがＯｄｄポジションに形成されている場合の、記録動作中の記録クロックの生成に関連する各種信号の変化の態様を概念的に示すタイミングチャートである。【０１３２】
図１０に示すように、ランドプリピットＬＰＰがＥｖｅｎポジションに形成される場合には、エンボスデータエリア１１３に形成されるエンボスピットから取得される第２比較信号Ｓ２の周期Ｔ１と、グルーブエリア１１４に形成されるランドプリピットＬＰＰから取得される第１比較信号Ｓ１の周期Ｔ３と、エンボスピットから取得される最後の第２比較信号Ｓ２とランドプリピットＬＰＰから取得される最初の第１比較信号Ｓ１との間隔Ｔ２とは、２×Ｔ１≒２×Ｔ２≒Ｔ３を満たしていることが好ましい。言い換えれば、このような関係を満たすように、上述した光ディスク１００に対してエンボスピット及びランドプリピットＬＰＰが形成されていることが好ましい。【０１３３】
他方で、図１１に示すように、ランドプリピットＬＰＰがＯｄｄポジションに形成される場合には、２×Ｔ１≒Ｔ２≒Ｔ３を満たしていることが好ましい。言い換えれば、このような関係を満たすように、上述した光ディスク１００に対してエンボスピット及びランドプリピットＬＰＰが形成されていることが好ましい。【０１３４】
このような関係を満たすことで、上述した各種利益を好適に享受することができる。そして、このような関係を満たすようにエンボスピット及びランドプリピットＬＰＰが形成されている光ディスク１００も、本発明の範囲に含まれることは言うまでもない。【０１３５】
なお、図９、図１０、及び図１１において、エンボスデータエリアのプッシュプル信号にウォブル信号が検出されていないが、エンボスピットがウォブリングされていればエンボスデータエリアのプッシュプル信号にウォブル信号が検出されることになる。また、図９、図１０、及び図１１において、グルーブエリアにＲＦ信号が検出されていないが、グルーブエリアが記録済みであり、そこをオーバーライトするような場合であれば、グルーブエリアにもＲＦ信号が検出されることになる。いずれにおいても本実施例には影響がなく、上述した各種利益を好適に享受することができる。【０１３６】
（２）第２実施例
続いて、図１２から図１４を参照して、第２実施例に係る情報記録再生装置について説明する。尚、上述の第１実施例に係る情報記録再生装置と同様の構成及び動作については、同一の参照符号又はステップ番号を付してその詳細な説明を省略する。【０１３７】
（２−１）基本構成
初めに、図１２を参照して、第２実施例に係る情報記録再生装置３０１の基本構成について説明する。ここに、図１２は、第２実施例に係る情報記録再生装置３０１が備える記録クロック生成器の基本構成を概念的に示すブロック図である。【０１３８】
第２実施例に係る情報記録再生装置３０１の基本構成は、図６を用いて説明した第１実施例に係る情報記録再生装置３００と同様である。第２実施例に係る情報記録再生装置３０１は特に、第１実施例における記録クロック生成器３５６とは、その構成及び動作が若干異なる記録クロック生成器３５６ａを備えている。この記録クロック生成器３５６ａについて、図１２を参照してより詳細に説明する。【０１３９】
図１２に示すように、第２実施例に係る情報記録再生装置３０１が備える記録クロック生成器３５６ａは、上述した第１実施例に係る情報記録再生装置３００が備える記録クロック生成器３５６と同様に、２値化回路４０１、比較信号生成器４０２、ＬＰＰ検出器４０３、ウォブル検出器４０４、比較信号生成器４０５、比較信号用スイッチ（ＳＷ）４０６、ＰＬＬ（Phase Locked Loop）４１０を備えている。第２実施例では特に、自走切替用スイッチ４１６を備えている。【０１４０】
自走切替用スイッチ４１６は、記録クロックＲ＿ＣＬＫを生成するためにＰＬＬ４１０に入力される信号を切り替える。具体的には、ＰＬＬ４１０に入力される信号を、比較信号生成器４０２又は４０５において生成される比較信号及びＰＬＬ４１０において生成される記録クロックＲ＿ＣＬＫを分周回路４１４で分周した信号のいずれかに切り替え可能に構成されている。特に、ＣＰＵ３５４から出力される自走切替命令に基づいて、ＰＬＬ４１０に入力される信号を切り替える。【０１４１】
尚、第２実施例では、比較信号用スイッチ４０６から出力される比較信号は、自走切替用スイッチ４１６に入力される。【０１４２】
（２−２）記録動作例
続いて、図１３及び図１４を参照して、第２実施例に係る情報記録再生装置３０１による記録動作について説明する。ここに、図１３は、記録動作全体の流れを概念的に示すフローチャートであり、図１４は、記録動作中の記録クロックの生成に関連する各種信号の変化の態様を概念的に示すタイミングチャートである。【０１４３】
図１３に示すように、第２実施例においても、第１実施例と同様にレーザ光ＬＢが照射されている記録領域の位置に応じて比較信号が生成される（ステップＳ１０１からステップＳ１０６）。【０１４４】
第２実施例では特に、比較信号を生成した後に、ＣＰＵ３５４の制御の下に、比較信号用スイッチ４０６を１側へ切り替えた直後か否かが判定される（ステップＳ２０１）。即ち、比較信号用スイッチ４０６を切替えてから所定時間が経過しているか否かが判定される。或いは、比較信号用スイッチ４０６を切替えてから所定サイズの（例えば、数ＥＣＣブロックの）各種コンテンツデータがグルーブエリア１１４に記録されたか否かが判定される。【０１４５】
この判定の結果、比較信号用スイッチ４０６を切り替えた直後であると判定された場合（ステップＳ２０１：Ｙｅｓ）、ＣＰＵ３５４から出力される自走切替命令に基づいて、自走切替用スイッチ４１６が（１）側へ切替えられる（ステップＳ２０２）。【０１４６】
他方、比較信号用スイッチ４０６を切り替えた直後でないと判定された場合（ステップＳ２０１：Ｎｏ）、ＣＰＵ３５４から出力される自走切替命令に基づいて、自走切替用スイッチ４１６が（２）側へ切替えられる（ステップＳ２０３）。【０１４７】
その後は、第１実施例と同様に比較信号に基づいて生成される記録クロックＲ＿ＣＬＫを参照しながら、各種コンテンツデータの記録が行われる（ステップＳ１０７からステップＳ１１０）。【０１４８】
特に、グルーブエリア１１４に各種コンテンツデータを記録し始めた直後（即ち、比較信号用スイッチ４０６が１側へ切り替わった直後）は、後述するように、プッシュプル信号に基づいて生成される第１比較信号Ｓ１（或いは、第１比較信号Ｓ１に基づいて生成される基準クロックＢ＿ＣＬＫ）は安定していないおそれがある。これは、グルーブエリア１１４に各種コンテンツデータを記録し始めた直後は、情報記録再生装置３０１により読み取られるランドプリピットＬＰＰの数が少ないため、基準クロックＲ＿ＣＬＫを生成するために用いられる第１比較信号Ｓ１を、ランドプリピットＬＰＰから好適に取得することができないおそれがあるためである。しかるに、第２実施例では、このような期間であっても、ＰＬＬ４１０において生成される記録クロックＲ＿ＣＬＫを分周回路４１４で分周した信号を、再びＰＬＬ４１０にフィードバック（ループバック）して記録クロックＲ＿ＣＬＫを生成している。このため、プッシュプル信号に基づいて生成される第１比較信号Ｓ１が安定していないという影響を排除して、好適な記録クロックＲ＿ＣＬＫを生成することができる。【０１４９】
そして、グルーブエリア１１４においてある程度の各種コンテンツデータを記録していれば（即ち、比較信号用スイッチ４０６を切替えた直後でなければ）、ある程度のランドプリピットＬＰＰが読み取られているため、該ランドプリピットＬＰＰを読み取ることで取得される第１比較信号Ｓ１から、好適な記録クロックＲ＿ＣＬＫを生成することができる。【０１５０】
従って、上述の第１実施例が有する各種利益を享受できると共に、第１実施例よりもより好適な（或いは、安定している）記録クロックＲ＿ＣＬＫを参照しながら各種コンテンツデータの記録を行うことができる。【０１５１】
具体的に、グルーブエリア１１４への各種コンテンツデータの記録を開始する場合の、ＲＦ信号やプッシュプル信号や比較信号等について、図１４を参照しながら説明する。【０１５２】
図１４に示すように、エンボスデータエリア１１３にレーザ光ＬＢが照射されている場合には、ＲＦ信号が検出される。この場合、このＲＦ信号に基づいて第２比較信号が取得される。【０１５３】
他方、グルーブエリア１１４にレーザ光ＬＢが照射されている場合には、プッシュプル信号にＬＰＰ信号とウォブル信号が検出される。この場合、このプッシュプル信号に基づいて第１比較信号Ｓ１が取得される。このとき、レーザ光ＬＢが照射される記録位置が、エンボスデータエリア１１３からグルーブエリア１１４に切り替わった直後は、プッシュプル信号に基づいて生成される第１比較信号Ｓ１は上述したように安定していないおそれがある。具体的には、第１比較信号Ｓ１のうち初めのランドプリピットに対応するパルス信号が時間軸方向（図１４中では左右方向）にぶれてしまうおそれがある。従って、この場合は、ＲＦ信号に基づいて生成される第２比較信号Ｓ２に基づいて生成されていた記録クロックＲ＿ＣＬＫを分周回路４１４で分周した信号をＰＬＬ４１０にフィードバック（ループバック）することで、プッシュプル信号に基づいて生成される比較信号は安定していない期間においても、適切な記録クロックＲ＿ＣＬＫを参照しながら、好適に記録情報を記録することができる。【０１５４】
また、ＣＰＵ３５４より自走切替命令を出力するために、別途ＰＬＬ自走信号が生成されてもよい。例えば、ＰＬＬ４１０を自走させることなく、比較信号生成器４０２又は４０５において生成される比較信号に基づいてＰＬＬ４１０が動作すべき場合にＬＯＷレベルとなり、ＰＬＬ４１０を自走させる場合にＨＩＧＨレベルとなるようなＰＬＬ自走信号であってもよい。そして、ＰＬＬ自走信号がＨＩＧＨレベルであれば、自走切替用スイッチ４１６が（１）側に切替えられ、エリア判別信号がＬＯＷレベルであれば、自走切替用スイッチ４１６が（２）側に切替えられるように構成してもよい。【０１５５】
尚、図１３のステップＳ２０１において、切替直後であるか否かの判定の際には、安定的なプッシュプル信号が得られるか否か（或いは、プッシュプル信号から安定的な比較信号を取得することができるか否か）に基づいて判定することが好ましい。即ち、安定的なプッシュプル信号が得られていなければ、切替直後であると判定されてもよいし、他方安定的なプッシュプル信号が得られていれば、切替直後でないと判定されてもよい。【０１５６】
なお、図１４において、エンボスデータエリアのプッシュプル信号にウォブル信号が検出されていないが、エンボスピットがウォブリングされていればエンボスデータエリアのプッシュプル信号にウォブル信号が検出されることになる。また、図１４において、グルーブエリアにＲＦ信号が検出されていないが、グルーブエリアが記録済みであり、そこをオーバーライトするような場合であれば、グルーブエリアにもＲＦ信号が検出されることになる。いずれにおいても本実施例には影響がなく、上述した各種利益を好適に享受することができる。【０１５７】
また、上述の実施例では、情報記録媒体の一例として光ディスク１００及び情報記録装置の一例として光ディスク１００に係るレコーダについて説明したが、本発明は、光ディスク及びそのレコーダに限られるものではなく、他の高密度記録或いは高転送レート対応の各種情報記録媒体並びにそのレコーダにも適用可能である。【０１５８】
本発明は、上述した実施例に限られるものではなく、請求の範囲及び明細書全体から読み取れる発明の要旨或いは思想に反しない範囲で適宜変更可能であり、そのような変更を伴う情報記録媒体、情報記録装置及び方法、並びに記録制御用のコンピュータプログラムもまた本発明の技術的範囲に含まれるものである。
【産業上の利用可能性】
【０１５９】
本発明に係る情報記録媒体、情報記録装置及び方法、製造装置及び方法、並びにコンピュータプログラムは、例えば、ＤＶＤ等の高密度光ディスクに利用可能であり、更にＤＶＤレコーダ等の情報記録装置に利用可能である。また、例えば民生用或いは業務用の各種コンピュータ機器に搭載される又は各種コンピュータ機器に接続可能な情報記録装置等にも利用可能である。
【図１】
0004484121.tif 000002
【図２】
0004484121.tif 000003
【図３】
0004484121.tif 000004
【図４】
0004484121.tif 000005
【図５】
0004484121.tif 000006
【図６】
0004484121.tif 000007
【図７】
0004484121.tif 000008
【図８】
0004484121.tif 000009
【図９】
0004484121.tif 000010
【図１０】
0004484121.tif 000011
【図１１】
0004484121.tif 000012
【図１２】
0004484121.tif 000013
【図１３】
0004484121.tif 000014
【図１４】
0004484121.tif 000015